【手続補正書】
【提出日】平成27年12月24日(2015.12.24)
【手続補正１】
【補正対象書類名】明細書
【補正対象項目名】発明の名称
【補正方法】変更
【補正の内容】
【発明の名称】画像生成装置、画像生成方法、及び眼科装置
【手続補正２】
【補正対象書類名】明細書
【補正対象項目名】０００１
【補正方法】変更
【補正の内容】
【０００１】
本発明は、画像生成装置、画像生成方法、及び眼科装置に関し、特に眼科診療等に用いられる画像生成装置、画像生成方法、及び眼科装置に関する。
【手続補正３】
【補正対象書類名】明細書
【補正対象項目名】０００６
【補正方法】変更
【補正の内容】
【０００６】
上記課題を解決するために、本発明に係る画像生成装置は、被検査物の画像を生成する画像生成装置であって、
前記被検査物において第一の周波数で測定光をスキャンするように設定された共振スキャナに関する信号を検出する検出手段と、
前記第一の周波数の周期毎における前記検出された信号群同士の相関に基づいて、前記共振スキャナがスキャンしたと推定される第二の周波数を決定する決定手段と、
前記決定された第二の周波数に基づいて、前記被検査物の画像を生成する画像生成手段と、を有することを特徴とする。
また、上記課題を解決するために、本発明に係る画像生成方法は、被検査物の画像を生成する画像生成方法であって、
前記被検査物において第一の周波数で測定光をスキャンするように設定された共振スキャナに関する信号を検出する検出工程と、
前記第一の周波数の周波数毎における前記検出された信号群同士の相関に基づいて、前記共振スキャナがスキャンしたと推定される第二の周波数を決定する周波数決定工程と、
を有することを特徴とする。
【手続補正４】
【補正対象書類名】特許請求の範囲
【補正対象項目名】全文
【補正方法】変更
【補正の内容】
【特許請求の範囲】
【請求項１】
被検査物の画像を生成する画像生成装置であって、
前記被検査物において第一の周波数で測定光をスキャンするように設定された共振スキャナに関する信号を検出する検出手段と、
前記第一の周波数の周期毎における前記検出された信号群同士の相関に基づいて、前記共振スキャナがスキャンしたと推定される第二の周波数を決定する決定手段と、
前記決定された第二の周波数に基づいて、前記被検査物の画像を生成する画像生成手段と、を有することを特徴とする画像生成装置。
【請求項２】
前記決定手段は、検出された前記共振スキャナに関する信号の前記信号群について検出位置のばらつきを所定範囲以下とする中心周波数を前記第二の周波数として決定することを特徴とする請求項１に記載の画像生成装置。
【請求項３】
前記決定手段は、前記中心周波数の決定の際に、前記第一の周波数に基づいて前記共振スキャナにおいて推定される第一の位置に対応して得られる前記信号群における各々の信号強度と、前記第一の位置とは異なる第二の位置に対応して得られる前記信号群における各々の信号強度と、を重畳して得られる相関係数を算出する相関係数算出手段と、
前記第一の周波数を変化させて算出された前記相関係数が所定値以上となる周波数を選択して前記中心周波数として選択する中心周波数選択手段と、を有することを特徴とする請求項２に記載の画像生成装置。
【請求項４】
前記相関係数が、ピアソンの相関係数であることを特徴とする請求項３に記載の画像生成装置。
【請求項５】
前記共振スキャナを介した前記測定光より取得した光信号を各々生成する複数の受光部を更に有し
前記画像生成手段は、決定された前記第二の周波数に基づいて前記共振スキャナにより前記信号群の信号各々を得た位置と前記複数の受光部の位置とを対応付ける位置対応付け手段と、
前記位置対応付け手段により対応付けられた前記複数の受光部より得られる前記光信号の強度に基づいてライン状の画像を生成するライン画像生成手段と、を有することを特徴とする請求項１乃至４のいずれか１項に記載の画像生成装置。
【請求項６】
被検査物の画像を生成する画像生成装置であって、
前記被検査物において第一の周波数で測定光をスキャンするように設定された共振スキャナに関する信号を検出する検出手段と、
前記第一の周波数の周期毎における前記検出された信号群同士の相関に基づいて、前記共振スキャナがスキャンしたと推定される第二の周波数又はユーザーから入力された前記共振スキャナがスキャンしたと設定される第三の周波数を取得する取得手段と、
前記第二又は第三の周波数に基づいて、前記被検査物の画像を生成する画像生成手段と、
を有することを特徴とする画像生成装置。
【請求項７】
被検査物の画像を生成する画像生成方法であって、
前記被検査物において第一の周波数で測定光をスキャンするように設定された共振スキャナに関する信号を検出する検出工程と、
前記第一の周波数の周期毎における前記検出された信号群同士の相関に基づいて、前記共振スキャナがスキャンしたと推定される第二の周波数を決定する決定工程と、
前記決定された第二の周波数に基づいて、前記被検査物の画像を生成する生成工程と、
を有することを特徴とする画像生成方法。
【請求項８】
前記決定工程において、検出された前記共振スキャナに関する信号の前記信号群について検出位置のばらつきを所定範囲以下とする中心周波数を前記第二の周波数として決定することを特徴とする請求項７に記載の画像生成方法。
【請求項９】
前記決定工程において、前記中心周波数の決定の際に、前記第一の周波数に基づいて前記共振スキャナにおいて推定される第一の位置に対応して得られる前記信号群における各々の信号強度と、前記第一の位置とは異なる第二の位置に対応して得られる前記信号群における各々の信号強度と、を重畳して得られる相関係数を算出する相関係数算出工程と、
前記第一の周波数を変化させて算出された前記相関係数が所定値以上となる周波数を選択して前記中心周波数として選択する中心周波数選択工程と、を実行することを特徴とする請求項８に記載の画像生成方法。
【請求項１０】
前記相関係数は、ピアソンの相関係数であることを特徴とする請求項９に記載の画像生成方法。
【請求項１１】
前記共振スキャナを介した前記測定光より取得した光信号を各々生成する複数の受光部により受光する工程を更に有し、
前記生成工程は、決定された前記第二の周波数に基づいて前記共振スキャナにより前記信号群の信号各々を得た位置と前記複数の受光部の位置とを対応付ける位置対応付け工程と、
前記位置対応付け工程において対応付けられた前記複数の受光部より得られる前記光信号の強度に基づいてライン状の画像を生成するライン画像生成工程と、を実行することを特徴とする請求項７乃至１０のいずれか１項に記載の画像生成方法。
【請求項１２】
被検査物の画像を生成する画像生成方法であって、
前記被検査物において第一の周波数で測定光をスキャンするように設定された共振スキャナに関する信号を検出する検出工程と、
前記第一の周波数の周期毎における前記検出された信号群同士の相関に基づいて、前記共振スキャナがスキャンしたと推定される第二の周波数又はユーザーから入力された前記共振スキャナがスキャンしたと設定される第三の周波数を取得する取得工程と、
前記第二又は第三の周波数に基づいて、前記被検査物の画像を生成する画像生成工程と、
を有することを特徴とする画像生成方法。
【請求項１３】
請求項７乃至１２のいずれか１項に記載の画像生成方法をコンピュータに実行させるためのプログラム。
【請求項１４】
被検眼を撮像する眼科装置であって、
前記被検眼において第一の周波数で測定光をスキャンするように設定された共振スキャナに関する信号を検出する検出手段と、
前記第一の周波数の周期毎における前記検出された信号群同士の相関に基づいて、前記共振スキャナがスキャンしたと推定される第二の周波数を決定する決定手段と、
前記決定された第二の周波数に基づいて、前記被検眼の画像を取得する画像取得手段と、を有することを特徴とする眼科装置。
【請求項１５】
被検眼を撮像する眼科装置であって、 
前記被検眼において第一の周波数で測定光をスキャンするように設定された共振スキャナに関する信号を検出する検出手段と、
前記第一の周波数の周期毎における前記検出された信号群同士の相関に基づいて、前記共振スキャナがスキャンしたと推定される第二の周波数又はユーザーから入力された前記共振スキャナがスキャンしたと設定される第三の周波数を取得する取得手段と、
前記第二又は第三の周波数に基づいて、前記被検眼の画像を取得する画像取得手段と、
を有することを特徴とする眼科装置。